(57)【要約】　　　（修正有）【課題】液状の物を缶詰にした一斗缶及び他の缶類から、別な容器等に移し替える際に、缶口が溢れるという欠点を、空気口をバイパスさせる事により缶口の溢れをなくした所が特徴で、一斗缶及びその他の缶類による詰め替え作業が円滑で，綺麗に又、快適な環境で作業が出来るようにした、プラスチック製、着脱烏口・詰め替え用器具を提供する。【解決手段】詰替用烏口本体（１）の、（２）の部分の裏側に、油類や塗料類その他、液状の物を缶詰にした一斗缶及び他の缶類、図４に示す（６）側の注ぎ口（７）へ、嵌め込んで繋ぐ為の溝を施す。次に詰替用烏口本体（１）の背面部分に、缶の内部へと安定した空気を取り込む為の、パイプ状の空気口（３）を、本体（１）の背面にバイパスさせた形で施す。【選択図】　図４
0003096867.tif 000002
【実用新案登録請求の範囲】
【請求項１】
（イ）詰替用烏口本体（１）の、（２）の部分の裏側に、油類や塗料類その他、液状の物を缶詰にした一斗缶及び他の缶類（これ以降、一斗缶及び他の缶類と呼ぶ）図４に示す（６）側の注ぎ口（７）へ、嵌め込んで繋ぐ為の溝を施す。
（ロ）次に詰替用烏口本体（１）の背面部分に、缶の内部へと安定した空気を取り込む為の、パイプ状の空気口（３）を、本体（１）の背面にバイパスさせた形で施す。
（ハ）一斗缶及び他の缶類（６）の注ぎ口（７）に、図２に示した、詰替用烏口本体（１）の（２）の底面の部分を宛い、強く押込んでジョイントし、図４に示すごとく、液だれ及び抜け止め防止の為のバンド（５）を詰替用烏口本体（１）の（２）の上に嵌め込んで止め、烏口本体注ぎ口（４）から他の容器へ移し替える。
（ニ）移し替え終了後、烏口本体（１）を斜め横に捻ると、一斗缶及び他の缶類（６）の注ぎ口（７）より取り外す事が出来る。
以上の如く構成された、プラスチック製着脱烏口・詰め替え用器具。
【考案の詳細な説明】
【０００１】
【考案の属する技術分野】
この考案は、一斗缶及び他の缶類から、別な容器等に移し替える際に使用する、プラスチック製、着脱烏口・詰め替え用器具に関する物で有る。
【０００２】
【従来の技術】
従来、この種の詰め替え用器具は、一斗缶及び他の缶類（６）の注ぎ口（７）に、皿状の三角板を嵌め込み注いでいたが、一斗缶及びその他の缶類による詰め替え作業時、密閉された缶の中から流れ出る液体によって、缶の内部が真空状態と成る為、中へ戻どろうとする空気の量とのバランスが噛み合わない事が原因で、注ぎ口（６）が溢れてしまう、零さずに、小さな容器類に移し替える事などは至難の業で、缶の縁から溢れて零れ落ちたり、又、極端な例では、缶注ぎ口の反対側に穴を開けて注ぐなどと著しく不都合で有った。
【０００３】
【考案が解決しようとする課題】
本案の課題は、上記の如くの、缶口が溢れるという欠点を取り除き、一斗缶及びその他の缶類による詰め替え作業が円滑で，綺麗に又、快適な環境で作業が出来るよう、より良い製品を広く提供しようとする物で有る。
【０００４】
【課題を解決するための手段】
（イ）詰替用烏口本体（１）の、（２）の部分の裏側に、油類や塗料類その他、液状の物を缶詰にした一斗缶及び他の缶類、図４に示す（６）側の注ぎ口（７）へ、嵌め込んで繋ぐ為の溝を施す。
（ロ）次に詰替用烏口本体（１）の背面部分に、缶の内部へと安定した空気を取り込む為の、パイプ状の空気口（３）を、本体（１）の背面にバイパスさせた形で施す。
（ハ）一斗缶及び他の缶類（６）の注ぎ口（７）に、図２に示した、詰替用烏口本体（１）の（２）の底面の部分を宛い、強く押込んでジョイントし、図４に示すごとく、液だれ及び抜け止め防止の為のバンド（５）を詰替用烏口本体（１）の（２）の上に嵌め込んで止め、烏口本体注ぎ口（４）から他の容器へ移し替える。
（ニ）移し替え終了後、烏口本体（１）を斜め横に捻ると、一斗缶及び他の缶類（６）の注ぎ口（７）より取り外す事が出来る。
以上の如く装置する。
【０００５】
【考案の実施の形態】
次に本案での実施の形態を述べると、
一斗缶及び他の缶類（６）の注ぎ口（７）が溢れる原因を、上記で述て来たが、烏口本体（１）の背面部分に、缶の内部へと空気を取り込む為の、パイプ状の空気口（３）を、烏口本体（１）の背面にバイパスさせる形で施した。
【０００６】
つまりは、烏口本体（１）の注ぎ口（４）とは別に、空気口をバイパスさせた事で安定した空気が缶内部に送られて、注ぎ口（４）を溢れなくさせる事が出来た。
【実施例】
なお、家庭用の食用油缶やスープ缶、その他の缶に詰めた物の小さい１リットル缶等にも使用出来て、小分け作業が楽に出来るように成った。
【０００７】
【考案の効果】
本案は、上記に述べて来た諸々な点からも、バイパスさせた空気口を施す事で缶口が溢れるという欠点を取り除き、一斗缶及びその他の缶類による詰め替え作業が円滑で，綺麗に又、快適な環境で作業が出来るようにした、プラスチック製、着脱烏口・詰め替え用器具。
【図面の簡単な説明】
【図１】本考案の側面図。
【図２】本考案の底面斜視図。
【図３】本考案の使用斜視図。
【図４】本考案の使用時の一部切欠断面図。
【符号の説明】
１　　詰替用・烏口本体
２　　ジョイント・フック
３　　空気口
４　　烏口本体注ぎ口
５　　液だれ及抜け止め防止バンド
６　　一斗缶及び他の缶類
７　　缶注ぎ口
【図１】
0003096867.tif 000003
【図２】
0003096867.tif 000004
【図３】
0003096867.tif 000005
【図４】
0003096867.tif 000006
【手続補正書】
【提出日】平成14年12月17日(2002.12.17)
【手続補正１】
【補正対象書類名】明細書
【補正対象項目名】実用新案登録請求の範囲
【補正方法】変更
【補正の内容】
【実用新案登録請求の範囲】
【請求項１】
（イ）詰替用・烏口本体（１）の（２）の部分の内側に、油類や塗料類その他、液状の物を缶詰にした、一斗缶及び他の缶類（これ以降、一斗缶及び他の缶類と呼ぶ）（６）の缶注ぎ口（７）に、嵌め込んで繋ぐ為の溝を施す。
（ロ）次に一斗缶及び他の缶類（６）の缶内部へと安定した空気を取り込む為の、空気取り込み用パイプ（３）を、詰替用・烏口本体（１）の背面に、バイパスさせた形で施す。
（ハ）一斗缶及び他の缶類（６）の缶注ぎ口（７）に、詰替用・烏口本体（１）の（２）の底面の部分を宛い、強く押込んでジョイントし、液だれ及び抜け止め防止の為のバンド（５）を、詰替用・烏口本体（１）の（２）の上側へ嵌めて止め、詰替用・烏口本体（１）の注ぎ口（４）から他の容器へと移し替える。
（ニ）移し替え終了後、訪替用・烏口本体（１）を斜め横に捻ると、一斗缶及び他の缶類（６）の缶注ぎ口（７）より取り外す事が出来る。
以上の如く構成された、プラスチック製着脱烏口・詰め替え用器具。
【手続補正２】
【補正対象書類名】明細書
【補正対象項目名】符号の説明
【補正方法】変更
【補正の内容】
【符号の説明】
１　　詰替用・烏口本体、
２　　ジョイント・フック、
３　　空気取り込み用パイプ、
４　　烏口本体注ぎ口、
５　　液だれ及抜け止め防止バンド、
６　　一斗缶及び他の缶類、
７　　缶注ぎ口、




【手続補正書】
【提出日】平成15年4月14日(2003.4.14)
【手続補正１】
【補正対象書類名】明細書
【補正対象項目名】実用新案登録請求の範囲
【補正方法】変更
【補正の内容】
【実用新案登録請求の範囲】
【請求項１】
（イ）詰替用・烏口本体（１）のジョイント・フック（２）の内側に、油類や塗料類その他、液状の物を缶詰にした、一斗缶及び他の缶類（これ以降、一斗缶及び他の缶類と呼ぶ）（６）の缶注ぎ口（７）に、嵌め込んで繋ぐ為の溝を施す。
（ロ）次に一斗缶及び他の缶類（６）の缶内部へと安定した空気を取り込む為の、空気取り込み用パイプ（３）を、詰替用・烏口本体（１）の背面に、バイパスさせた形で施す。
（ハ）一斗缶及び他の缶類（６）の缶注ぎ口（７）に、詰替用・烏口本体（１）のジョイント・フック（２）の底面の部分を宛い、強く押込んでジョイントし、液だれ及び抜け止め防止の為のバンド（５）を、詰替用・烏口本体（１）のジョイント・フック（２）の上側へ嵌めて止め、詰替用・烏口本体（１）の注ぎ口（４）から他の容器へと移し替える。
（ニ）移し替え終了後、詰替用・烏口本体（１）を斜め横に捻ると、一斗缶及び他の缶類（６）の缶注ぎ口（７）より取り外す事が出来る。
以上の如く構成された、プラスチック製着脱烏口・詰め替え用器具。